【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
車外に設置される楽曲選曲配信装置と、この楽曲選曲配信装置と通信可能に設けられ、楽曲要求に応じて送信される楽曲を出力部にて再生する車両側端末装置を備える車両用音楽選曲再生システムであって、
上記車両側端末装置は、自車の状況または自車の周辺状況を表すパラメタおよびユーザの状況を表すパラメタを取得するためのパラメタ情報を入力するパラメタ入力部と、上記楽曲選曲配信装置と通信を行い入力されたパラメタ情報を送信し選曲された楽曲のデータを受信する送受信制御部と、上記楽曲選曲配信装置から配信される楽曲のデータを一時的に記憶する一時記憶部と、一時記憶された楽曲の再生を制御する楽曲再生制御部とを備え、
上記楽曲選曲配信装置は、楽曲ごとに上記パラメタに対応付けした複数の選択値を用いて作成される曲属性データおよび音源データを有する楽曲データを記憶する記憶部と、上記車両側端末装置からのパラメタ情報と上記記憶部に記憶される楽曲データの曲属性データに基づいて現在の状況に適した楽曲を選択する楽曲選曲部と、上記車両側端末装置と通信を行ってパラメタ情報を受信し選択された楽曲のデータを送信する送受信制御部とを備えていることを特徴とする車両用音楽選曲再生システム。
【請求項２】
上記車両側端末装置の上記パラメタ入力部は、上記パラメタ情報を、車両に搭載されたセンサまたは装置を利用して自動的に取得し、または表示される選択肢からユーザ自身が選択して入力することにより取得する請求項１記載の車両用音楽選曲再生システム。
【請求項３】
上記車両側端末装置の上記パラメタ入力部は、自車の状況または自車の周辺状況を表すパラメタを取得するためのパラメタ情報として、少なくとも自車の位置情報を自動的かつ連続的に入力し、入力された位置情報を用いて他のパラメタ情報を取得する請求項１または２記載の車両用音楽選曲再生システム。
【請求項４】
上記楽曲選曲配信装置の上記楽曲選曲部は、上記パラメタ情報から自車の状況または自車の周辺状況を表すパラメタおよびユーザの状況を表すパラメタを取得し、これらパラメタと、各楽曲の曲属性データの選択値が一致するかしないかを基に、各楽曲の採点を行い、採点結果の上位から予め決められた曲数を選択する請求項１ないし３のいずれか１項に記載の車両用音楽選曲再生システム。
【請求項５】
上記車両側端末装置の上記楽曲再生制御部は、上記送受信制御部がパラメタ情報を送信後、楽曲の音源データの受信を開始してから上記一時記憶部に一曲以上の音源データを保持していることを確認するまでは、上記車載端末装置の記憶部に予め記憶している音源データを再生する請求項１ないし４のいずれか１項に記載の車両用音楽選曲再生システム。
【請求項６】
上記楽曲選曲配信装置の上記楽曲選曲部は、上記パラメタ情報に基づいて選択された楽曲の再生順序を示す再生リストを作成し、この再生リストと各楽曲の音源データを上記送受信制御部から上記楽曲のデータとして送信するものであり、上記車両側端末装置の上記楽曲再生制御部は、上記再生リストに従って上記一時記憶部に保持された音源データを再生した後、再生した音源データを削除する請求項１ないし５のいずれか１項に記載の車両用音楽選曲再生システム。
【請求項７】
上記楽曲選曲配信装置の上記送受信制御部は、上記再生リストを送信した後、上記車両側端末装置からの楽曲送信要求に従って、各楽曲の音源データを順次送信し、上記車両側端末装置の上記楽曲再生制御部は、上記一時記憶部に保持された音源データが一定曲数に達したら、楽曲送信要求を一時停止する請求項６記載の車両用音楽選曲再生システム。
【請求項８】
上記車両側端末装置の上記パラメタ入力部は、ユーザの状況を表すパラメタとして、少なくとも楽曲を推薦する選曲者を表す選曲者パラメタを用い、上記楽曲選曲配信装置の上記楽曲選曲部は、上記楽曲データの上記曲属性データに含まれる選曲者が、ユーザ状況を表すパラメタとして受信した選曲者情報と一致する楽曲の集合の中から、自車の状況または自車の周辺状況を表すパラメタとして受信したパラメタ情報を用いて楽曲検索を行なう請求項１ないし７のいずれか１項に記載の車両用音楽選曲再生システム。
【請求項９】
上記楽曲選曲配信装置は、上記記憶部に記憶される楽曲の選曲者を追加または変更する手段を有し、上記車両側端末装置は、起動時に上記楽曲選曲配信装置の更新情報を受信して、上記パラメタ入力部の表示に反映させる手段を有する請求項８記載の車両用音楽選曲再生システム。
【請求項１０】
上記車両側端末装置の上記パラメタ入力部は、ユーザの状況を表すパラメタとして、再生されている楽曲に対する好みの度合いを選択する好み度パラメタを有し、上記楽曲選曲配信装置は、入力された好み度を各楽曲の曲属性データに追加して、上記楽曲選曲部による次回以降の上記再生リストの作成に反映させる請求項１ないし９のいずれか１項に記載の車両用音楽選曲再生システム。
【請求項１１】
上記車両側端末装置の上記送受信制御部は、上記楽曲選曲配信装置からのデータ受信時に、予め設定した一定時間内に受信完了しない時は、通信異常と判断してデータ再受信要求を送信する手段を有する請求項１ないし１０のいずれか１項に記載の車両用音楽選曲再生システム。
【手続補正２】
【補正対象書類名】明細書
【補正対象項目名】００１５
【補正方法】変更
【補正の内容】
【００１５】
本願請求項３の発明において、上記車両側端末装置の上記パラメタ入力部は、自車の状況または自車の周辺状況を表すパラメタを取得するためのパラメタ情報として、少なくとも自車の位置情報を自動的かつ連続的に入力し、入力された位置情報を用いて他のパラメタ情報を取得する。
【手続補正３】
【補正対象書類名】明細書
【補正対象項目名】００２０
【補正方法】変更
【補正の内容】
【００２０】
本願請求項８の発明において、上記車両側端末装置の上記パラメタ入力部は、ユーザの状況を表すパラメタとして、少なくとも楽曲を推薦する選曲者を表す選曲者パラメタを用い、上記楽曲選曲配信装置の上記楽曲選曲部は、上記楽曲データの上記曲属性データに含まれる選曲者が、ユーザ状況を表すパラメタとして受信した選曲者情報と一致する楽曲の集合の中から、自車の状況または自車の周辺状況を表すパラメタとして受信したパラメタ情報を用いて楽曲検索を行なう。
【手続補正４】
【補正対象書類名】明細書
【補正対象項目名】００３４
【補正方法】変更
【補正の内容】
【００３４】
本願請求項１１の発明によれば、車両側端末装置の送受信制御部は、データ受信が一定時間内に受信完了しない時は、データの再受信を要求するので、一時的な通信不良が生じても連続した送受信が可能となる。
【手続補正５】
【補正対象書類名】明細書
【補正対象項目名】００４１
【補正方法】変更
【補正の内容】
【００４１】
楽曲検索に用いられるパラメタは、車内外の現在の環境に合わせてユーザの嗜好に一致する楽曲を提供するために設定される。好適には、自車の状況、自車の周辺状況、ユーザの状況について、それぞれ１つないしそれ以上のパラメタが選択される。これらパラメタの種類は任意に設定することができ、本実施形態では、例えば、自車の状況を表すパラメタとして、場所（現在位置）パラメタ、走行状況パラメタを、自車の周辺状況を表すパラメタとして、日時パラメタ（季節、曜日、時間帯）、天気パラメタ、等を用いる。また、ユーザの状況を表すパラメタとして、ユーザに楽曲を推薦する選曲者を表し、選曲者を選択するユーザの嗜好を反映させた楽曲を提供可能とする選曲者パラメタ、好み度パラメタを用いる。
【手続補正６】
【補正対象書類名】明細書
【補正対象項目名】００４２
【補正方法】変更
【補正の内容】
【００４２】
パラメタ入力部１１に入力されるパラメタ情報は、これらパラメタに直接的に対応するデータであっても、パラメタを取得するための基本データであってもよく、装置起動時または起動後に随時入力される。カーナビゲーションシステムＳ等からのデータ入力は、定期的に入力されるように設定することができ、さらに、ユーザが手動により任意にパラメタの選択値を変更することにより、状況の変化に応じた楽曲選択を行なうことができる。例えば、ユーザの状況を表すパラメタである選曲者は、ユーザが楽曲を推薦する選曲者を指示することで、ユーザの嗜好を反映可能とするものであり、好み度は、楽曲選曲部２５によって選択された楽曲に対して、再生中にその好き嫌いを指示することにより、次回の選曲に反映させるものである。また、ユーザの状況を表すパラメタは、ユーザの楽曲に対する嗜好や移動の目的を反映させるものであればよく、ユーザの状況を表すパラメタとして、楽曲のジャンル、目的地、気分、等を用いることもできる。このうち目的地は、例えばカーナビゲーションシステムＳに入力される目的地情報等を利用することもできる。
【手続補正７】
【補正対象書類名】明細書
【補正対象項目名】００４３
【補正方法】変更
【補正の内容】
【００４３】
これらパラメタには、それぞれに複数の選択値が対応付けられている。本実施形態において、自車の状況または自車の周辺状況を表すパラメタに設定された複数の選択値は、以下の通りである。ユーザの状況を表すパラメタである選曲者、好み度については、後述する。
場所パラメタ：都市、郊外、海辺および山間部
走行状況パラメタ：一般道渋滞（〜３０ｋｍ／時未満）、一般道（３０〜７０ｋｍ／時未満）、高速道路渋滞（〜７０ｋｍ／時）、および高速道路（７０ｋｍ／時〜）
季節パラメタ：春（３〜５月）、夏（６〜８月）、秋（９〜１１月）および冬（１２〜２月）
曜日パラメタ：週初め（月曜）、週中（火〜木曜）、週末（金曜）および休日（土、日曜）
時間帯パラメタ：朝（４〜１０時前）、昼（１０〜１６時前）、夕方（１６〜１９時前）、夜（１９〜２２時前）および深夜（２２〜４時前）
天気パラメタ：晴れ、曇り、雨および荒天
目的地パラメタ：都市、郊外、海辺および山間部
【手続補正８】
【補正対象書類名】明細書
【補正対象項目名】００４８
【補正方法】変更
【補正の内容】
【００４８】
楽曲選曲配信装置２の楽曲選曲部２５は、パラメタ入力制御部２３に入力されるデータ（パラメタ情報）を変換することによって、それらを楽曲検索部２４における独自の選曲アルゴリズムのパラメタとする。各パラメタは、上述したように、それぞれに対応付けされた複数の選択値を有し、パラメタ入力制御部２３は、自車の状況または自車の周辺状況およびユーザの状況を表す入力データに基づいて、複数の選択値のうち１つを選択することで、現時点の状況を示すパラメタ値を決定する。一方、各楽曲は、予め、選曲者によって各パラメタの複数の選択値からいずれか１つ以上が選択されて曲属性値が決定されている。各楽曲のデータは、選曲者が選択したパラメタ毎の曲属性値を記した曲属性データと音源データによって構成されており、記憶部構成制御部２７で処理された後、曲属性データと音源データに分けて記憶される。
【手続補正９】
【補正対象書類名】明細書
【補正対象項目名】００５１
【補正方法】変更
【補正の内容】
【００５１】
更新確認は、ユーザの状況を表すパラメタである選曲者パラメタについて、対応する複数の選択値、すなわちユーザが選択可能な選曲者名が、前回から追加または変更されているかどうかを確認するために行なわれる。これに対して楽曲選曲配信装置２の配信部２８は、図３に示す記憶部２６の選曲者データベース（選曲者ＤＢ）に照会し、保存されている更新情報を配信する（更新情報）。表１は、記憶部２６に保存される各種データベースとその機能を示すものである。記憶部２６には、それ以外のデータベースとして、各楽曲の音源データを保存する楽曲データベース（楽曲ＤＢ）が設けられる。
【手続補正１０】
【補正対象書類名】明細書
【補正対象項目名】００５３
【補正方法】変更
【補正の内容】
【００５３】
車両側端末装置１は、更新情報を記憶部１７に保存し、更新された選曲者を、表示装置１ｅに出力して画面に一覧表示する（選曲者一覧表示）。次いで、ユーザがパラメタ入力部１１のタッチパネル１ｃにて、画面上の選曲者を選択すると、車載端末装置１は、その選曲者情報を、楽曲選曲配信装置２へ送信する（選曲者選択）。具体的には、図２（ｂ）に示すように、例えばディスプレイ表示面Ｄに６人の選曲者名が表示され、ユーザが選曲者名ボタンに触れることで、楽曲選曲部２５のパラメタ入力制御部に入力されるタッチパネル１ｃの入力座標位置から、ユーザの状況を表す選曲者パラメタのパラメタ値として、ある選曲者が特定される。ディスプレイ表示面Ｄにおいて、他の選曲者ボタンに触れることで画面を切り替え、別の６人の選曲者名を表示させることもできる。あるいは、その他ボタンにより、選曲者以外の選択肢、例えば楽曲のジャンルを選択するボタンを表示させるようにしてもよい。
【手続補正１１】
【補正対象書類名】明細書
【補正対象項目名】００５７
【補正方法】変更
【補正の内容】
【００５７】
ここで、楽曲検索のパラメタとなる選曲者は、本発明の車両用音楽選曲再生システムにおいて、再生する楽曲を選択してリスナーに推奨する人物、例えば、アーティストや音楽評論家、ラジオパーソナリティ、演奏家、等である。選曲者は、楽曲選曲配信装置２の管理者であるサービス提供者が、例えばＮ人を選択し、Ｎ人の選曲者がそれぞれ推奨する複数の楽曲を選定するとともに、各楽曲のパラメタ毎に曲属性値を１以上選択する。選曲者が曲属性値を特定せず、ＡＬＬ（全て）とすることもできる。したがって、例えば、ある楽曲が、選曲者１と選曲者Ｎによって選択される場合であっても、場所、走行状況、季節、曜日、時間帯、天気の各パラメタについて、選曲者１と選曲者Ｎの選択が異なれば、選曲者以外の曲属性データも異なり、異なる状況で選曲、再生される。つまり、ユーザは、その時々の好みの選曲者を選択するだけで、特定の選曲者が選んだ楽曲の集合１〜Ｎの中から、さらに自車やその周辺状況に応じて推奨される楽曲の再生リストおよび音源データが配信され、自動的に再生されることになる。
【手続補正１２】
【補正対象書類名】明細書
【補正対象項目名】００５８
【補正方法】変更
【補正の内容】
【００５８】
具体的には、各選曲者によって選択された楽曲は、選曲者情報を含む曲属性データと音源データとして、記憶部構成制御部２７に入力され、記憶部構成制御部２７は、曲属性データに基づく曲属性リストと、スコアデータリストを作成して、記憶部２６のフィーリングデータベース（フィーリングＤＢ）、嗜好データベース（嗜好ＤＢ）にそれぞれ格納する。曲属性リストは、選曲者によって推奨される１曲分を１レコードとして曲属性レコードを保持するもので、曲属性レコード内の項目としては、例えば、楽曲の選曲者を示す選曲者番号、楽曲の識別番号を示す曲ＩＤ、楽曲のフィーリングを表すデータである曲フィーリング、楽曲のタイトルを示す曲タイトル、楽曲を演奏しているアーティスト名、楽曲の音源データを表す音源インデックスの各項目がある。この曲フィーリング項目には、曲属性データとして既に説明した各パラメタの選択値の１つ以上が曲属性値として格納されている。表２は、記憶部２６のフィーリングデータベースに保存される曲属性リストの一例であり、ここでは、曲属性項目として、選曲者番号、曲ＩＤ、曲フィーリングの各情報を含むフィーリングリストとして構成したものを示している。この場合は、楽曲のタイトル等の楽曲情報を含む楽曲リストを別に作成して保存する。
【手続補正１３】
【補正対象書類名】明細書
【補正対象項目名】００６２
【補正方法】変更
【補正の内容】
【００６２】
補正に用いられるファクタ重み値は、選曲時の採点への影響を、あるパラメタでは大きく、または小さくすることで、各パラメタに重み付けをする点数である。予め設定したファクタ重み値は、初期設定データとして記憶部２６に保存されており、例えば、走行状況パラメタは１５、季節パラメタは２３、曜日パラメタは７といった重み付けがなされる。
【手続補正１４】
【補正対象書類名】明細書
【補正対象項目名】００６５
【補正方法】変更
【補正の内容】
【００６５】
ステップＳ５〜７で、楽曲検索部２４は、このようにして算出されたスコア値が、最も上位のものから順に楽曲を並べ、要求曲数を満たす順位、例えばＴ番目のものまでを選択し、再生リストを作成し、送信する（図４（ａ））。再生リストに載せる楽曲数Ｔは、車両側端末装置１の一時記憶部１６の容量等に応じて、予め設定されている。この時、抽出した楽曲にランダム値を割り当てて並べ替えてもよい。楽曲検索部２４から再生リストが送信されると、車両側端末装置１は一時記憶部１６に再生リストを保存し、その最上位から楽曲のダウンロードを要求する（楽曲要求）。楽曲選曲再生配信装置２の配信部２８は、楽曲要求に応じて、記憶部２６の楽曲データベースに蓄積された音源データを要求順に配信し（楽曲配信）、再生日時を再生履歴データベースに保存する。
【手続補正１５】
【補正対象書類名】明細書
【補正対象項目名】００６６
【補正方法】変更
【補正の内容】
【００６６】
車両側端末装置１の楽曲再生制御部１４は、配信された音源データを一次記憶部１６に一時的に保存し、再生リストの順にオーディオ装置１ｄにて再生する（音楽再生）。一方、表示制御部１５は、再生中の楽曲の曲名や演奏者名等のデータを一次記憶部１６から受け取り、表示装置１ｅに表示する。以降、楽曲要求と楽曲配信を繰り返す。
【手続補正１６】
【補正対象書類名】明細書
【補正対象項目名】００７４
【補正方法】変更
【補正の内容】
【００７４】
図７、８は、車両側端末装置１の起動時の表示部１ｅにおける画面表示の例と、送信制御部１２の動作の例を示すものである。図２（ｂ）、（ｃ）に示したディスプレイ表示面Ｄは、タッチパネル１ｃの選択ボタン例を説明するための一例であり、実際には、システム起動から楽曲再生までに、随時、画面表示を切り替えることが望ましい。例えば、図７において、まず車両側端末装置１を起動すると、表示装置１ｅは、選曲者の更新情報を要求して選曲者の更新が終了するまでの間、準備中であることを表示して、待機を促す（起動画面）。ここで、何らかのエラーが生じた場合には、エラー表示する画面に切り替える（エラー画面）。
【手続補正１７】
【補正対象書類名】明細書
【補正対象項目名】００７５
【補正方法】変更
【補正の内容】
【００７５】
例えば、図８において、送信制御部１２は、まず車両側端末装置１を起動すると同時に、ステップＳ３１において、選曲者の更新要求を送信する。次に、ステップＳ３２に進み、選曲者の更新が、予め設定した一定時間以内に完了したか否かを判定する。ステップＳ３２が肯定判定された場合には、何らかの通信異常と判断し、ステップＳ３５に進んで通信異常であることを通知して、図７の表示装置１ｅにエラー画面を表示させ、終了を促す。ステップＳ３２が否定判定された場合には、ステップＳ３３において、更新情報を基に選曲者の選択を行う。
【手続補正１８】
【補正対象書類名】明細書
【補正対象項目名】００７６
【補正方法】変更
【補正の内容】
【００７６】
この時、図７の表示装置１ｅには、更新された選曲者情報から、４〜６名程度の選曲者を画面表示する。この４名は前回までのユーザ選択の上位を表示するか、またはシステムが選んだ選曲者順位とする（選曲者選択画面；図２（ｂ）に相当）。この画面には、同時に他の選曲者を選択するためのボタンを配置し、ユーザがボタンに接触すると、選曲者を変更する画面に切り替える（選曲者変更画面）。この画面には、他の４名程度の選曲者が表示され、さらに画面変更を行って、選曲者の変更を繰り返し行うことができる。また、終了ボタンを配置することで、選曲者の変更をせずに楽曲再生を終了することができる。
【手続補正１９】
【補正対象書類名】明細書
【補正対象項目名】００７７
【補正方法】変更
【補正の内容】
【００７７】
図８のステップＳ３３では、選曲者の選択に引き続き、プリセット音楽を再生しながら、配信される楽曲をダウンロードする。この時、ステップＳ３４において、ダウンロードが一定時間内に完了しない場合には、通信不良と判断されるので、ステップＳ３６に進み、表示装置１ｅのエラー画面に、通信不良により十分なサービスが提供できない旨を表示する。ステップＳ３４が否定判定された場合には、ステップＳ３８、３９へ進む。ユーザがエラー画面にて終了ボタンを押した場合には、システムを終了させ、操作がなされない場合には、ステップＳ３７にて、引き続き、通信不良により十分なサービスが提供できない旨を表示する。同時に、ステップＳ３８で、プリセット曲または一時保存した楽曲を再生し、ステップＳ３９で、ダウンロードを継続する。
【手続補正２０】
【補正対象書類名】明細書
【補正対象項目名】００７９
【補正方法】変更
【補正の内容】
【００７９】
このように、本発明は、選曲者の更新情報、楽曲データのダウンロードを、通信により行うので、通信状態が良好でない場合には、更新情報の表示や楽曲の再生に不具合が生じるおそれがある。これに対して、図６、７のように、適時、通信状態を判断する処理を行うことで、速やかに通信異常や通信不良を画面表示し、ユーザに通知することができる。
【手続補正２１】
【補正対象書類名】図面
【補正対象項目名】図２
【補正方法】変更
【補正の内容】
【図２】
2012203974.tif 000001
【手続補正２２】
【補正対象書類名】図面
【補正対象項目名】図３
【補正方法】変更
【補正の内容】
【図３】
2012203974.tif 000002
【手続補正２３】
【補正対象書類名】図面
【補正対象項目名】図４
【補正方法】変更
【補正の内容】
【図４】
2012203974.tif 000003
【手続補正２４】
【補正対象書類名】図面
【補正対象項目名】図８
【補正方法】変更
【補正の内容】
【図８】
2012203974.tif 000004